(57)【要約】【課題】第１形態から第２形態への変化の興趣性を向上させる組立玩具を提供する。【解決手段】組立玩具は、複数の部品（１１〜１８）の少なくとも一部により組み立てられた第１形態ＦＲ１と前記複数の部品の少なくとも一部により組み立てられ第１形態ＦＲ１とは異なる第２形態ＦＲ２とに可逆的に変化可能な組立玩具であって、複数の部品は、第１形態ＦＲ１の外周の少なくとも一部分を構成する第１部品（１６）および第２部品（１１）と、第１部品および第２部品とは異なる第３部品（１７）と、を含み、第１形態ＦＲ１において、第１部品は、第２部品に取り付け可能であり、第２形態ＦＲ２において、第３部品は、第２部品に取り付け可能であり、  第２形態ＦＲ２において第２部品に第３部品を取り付ける取付部（凹部１１ｃ、１１ｄ、１１ｅ）の少なくとも一部は、第１形態ＦＲ１において第１部品で覆われる．【選択図】図２
2020054657.tif 000002
【特許請求の範囲】
【請求項１】
複数の部品の少なくとも一部により組み立てられた第１形態と前記複数の部品の少なくとも一部により組み立てられ前記第１形態とは異なる第２形態とに可逆的に変化可能な組立玩具であって、
前記複数の部品は、前記第１形態の外周の少なくとも一部分を構成する第１部品および第２部品と、前記第１部品および前記第２部品とは異なる第３部品と、を含み、
前記第１形態において、前記第１部品は、前記第２部品に取り付け可能であり、
前記第２形態において、前記第３部品は、前記第２部品に取り付け可能であり、
前記第２形態において前記第２部品に前記第３部品を取り付ける取付部の少なくとも一部は、前記第１形態において前記第１部品で覆われる、
組立玩具。
【請求項２】
前記第１形態において、前記組立玩具は、収容部を備え、
前記第１部品および前記第２部品は、前記収容部の少なくとも一部を構成し、
前記第３部品は、前記収容部へ収容可能である、
請求項１に記載の組立玩具。
【請求項３】
前記複数の部品は、前記第１部品、前記第２部品および前記第３部品とは異なる第４部品を含み、
前記第１形態において、前記第４部品は、前記収容部に収容可能であり、
前記第２形態において、前記第４部品は、前記第３部品に取り付け可能である、
請求項２に記載の組立玩具。
【請求項４】
前記複数の部品は、前記第１部品、前記第２部品および前記第３部品とは異なる第５部品を含み、
前記第１形態において、前記第５部品は、前記第１形態の外周の少なくとも一部分を構成し、
前記第２形態において、前記第５部品は、前記第２形態を構成する土台となる、
請求項１〜３のいずれか１項に記載の組立玩具。
【請求項５】
前記第５部品は、環状の部品である、
請求項４に記載の組立玩具。
【請求項６】
前記複数の部品は、前記第１部品、前記第２部品、前記第３部品および前記第５部品とは異なる第６部品を含み、
前記第２形態において、前記第２部品および前記第５部品は、前記第２部品と前記第６部品との間に開放部が形成された状態で連結し、
前記第１形態において、前記第６部品は、前記開放部を閉塞するように前記第１形態の外周の少なくとも一部分を構成する、
請求項４または５に記載の組立玩具。
【請求項７】
前記第２形態において、前記第６部品は、前記前記第３部品に取り付け可能である、
請求項６に記載の組立玩具。
【請求項８】
前記複数の部品は、前記第１部品、前記第２部品および前記第３部品とは異なる第７部品を含み、
前記第１形態において、前記第７部品は、前記第１形態の外周の少なくとも一部分を構成し、
前記第２形態において、前記第７部品は、前記第２部品に取り付け可能である、
請求項１〜６のいずれか１項に記載の組立玩具。
【請求項９】
前記第２形態において、前記第２部品は、前記第７部品に取り付け可能である、
請求項８に記載の組立玩具。
【請求項１０】
前記複数の部品は、前記第１部品、前記第２部品および前記第３部品とは異なる第８部品を含み、
前記第１形態において、前記第８部品は、前記第１形態の外周の少なくとも一部分を構成し、
前記第２形態において、前記第８部品は、使用されない、
請求項１〜９のいずれか１項に記載の組立玩具。
【請求項１１】
前記第１形態は、転動可能（幾何学？）な形態である、
請求項１〜１０のいずれか１項に記載の組立玩具。
【請求項１２】
前記第２形態は、形象物を構成する、
請求項１〜１１のいずれか１項に記載の組立玩具。
【請求項１３】
前記形象物は人形体の少なくとも一部分を構成し、
前記第２形態において、
前記第１部品は、前記人形体の肩部の少なくとも一部分を構成し、
前記第２部品は、前記人形体の胸部の少なくとも一部分を構成し、
前記第３部品は、前記人形体の頭部の少なくとも一部分を構成し、
請求項１２に記載の組立玩具。
【請求項１４】
前記第１形態において、前記第１部品は、前記取付部の少なくとも一部分を用いて前記第２部品に取り付けられる、
請求項１〜１３のいずれか１項に記載の組立玩具。
【請求項１５】
前記第２部品には、前記第１部品の取り付け位置を所定の位置に案内可能な位置決め部が設けられる、
請求項１〜１４のいずれか１項に記載の組立玩具。
【請求項１６】
前記取付部は、前記位置決め部の内側に形成される、
請求項１５に記載の組立玩具。
【発明の詳細な説明】
【技術分野】
【０００１】
本発明は、第１形態と前記第１形態と異なる第２形態とに可逆的に変化可能な組立玩具に関する。
【背景技術】
【０００２】
後記特許文献１には、２個の半球状部材から成るカプセルの内部に複数の部品が収納された球状形態と、部品取り出し後のカプセルと複数の部品とを用いて構成された人形形態とに、可逆的に変化可能なカプセル玩具が開示されている。
【０００３】
前記のカプセル玩具のカプセル構成部材１には、部品の少なくとも一部が嵌入される切欠が形成され、カプセルの内部に複数の部品が収納された球状形態において、この切欠が露出した状態であるため、露出した切欠がカプセルとしての球状形態を妨げる要因となっている。
【先行技術文献】
【特許文献】
【０００４】
【特許文献１】特開平０７−１４８３５８号公報
【発明の概要】
【発明が解決しようとする課題】
【０００５】
本発明が解決しようとする課題は、第１形態から第２形態への変化可能な組立玩具において、第１形態における形状に与える影響を抑制可能な組立玩具を提供することにある。
【課題を解決するための手段】
【０００６】
本発明に係る組立玩具は、複数の部品の少なくとも一部により組み立てられた第１形態と前記複数の部品の少なくとも一部により組み立てられ前記第１形態とは異なる第２形態とに可逆的に変化可能な組立玩具であって、前記複数の部品は、前記第１形態の外周の少なくとも一部分を構成する第１部品および第２部品と、前記第１部品および前記第２部品とは異なる第３部品と、を含み、前記第１形態において、前記第１部品は、前記第２部品に取り付け可能であり、前記第２形態において、前記第３部品は、前記第２部品に取り付け可能であり、  前記第２形態において前記第２部品に前記第３部品を取り付ける取付部の少なくとも一部は、前記第１形態において前記第１部品で覆われる。
【発明の効果】
【０００７】
本発明に係る組立玩具によれば、第１形態から第２形態への変化する組立玩具の興趣性を向上させることができる。
【図面の簡単な説明】
【０００８】
【図１】図１（Ａ）は本発明を適用した組立玩具の第１形態の前面図、図１（Ｂ）は同上面図、図１（Ｃ）は同下面図、図１（Ｄ）は第１形態において外郭体の内部空洞に収容された非外郭構成部品を示す図１（Ａ）対応図である。
【図２】図２は図１に示した第１形態の分解図である。
【図３】図３（Ａ）は図１および図２に示した第１形象部品の上面図、図３（Ｂ）は同下面図である。
【図４】図４（Ａ）は図１および図２に示した土台部品の上面図、図４（Ｂ）は同下面図である。
【図５】図５（Ａ）は図１および図２に示した第２形象部品の上面図、図５（Ｂ）は同下面図である。
【図６】図６（Ａ）は図１および図２に示した補助部品の上面図、図６（Ｂ）は同下面図である。
【図７】図７（Ａ）は図１および図２に示した第３形象部品の上面図、図７（Ｂ）は同下面図である。
【図８】図８（Ａ）は図１および図２に示した第４形象部品の上面図、図８（Ｂ）は同下面図である。
【図９】図９（Ａ）は図１および図２に示した第５形象部品の上面図、図９（Ｂ）は同下面図である。
【図１０】図１０（Ａ）〜図１０（Ｃ）は図１に示した第１形態を第２形態に変化させる方法例の説明図である。
【図１１】図１１（Ａ）および図１１（Ｂ）は図１に示した第１形態を第２形態に変化させる方法例の説明図である。
【図１２】図１２は図１に示した組立玩具の第２形態の前面図である。
【図１３】図１３（Ａ）および図１３（Ｂ）は図１および図２に示した第１形象部品および第４形象部品の変形例を示す図である。
【図１４】図１４（Ａ）および図１４（Ｂ）は図１および図２に示した第１形象部品と図１３に示した第１形象部品の変形例を示す図である。
【発明を実施するための形態】
【０００９】
以下の説明では、便宜上、図１（Ａ）の手前側を前、奥側を後、左側を右、右側を左、上側を上、下側を下と表記し、他の図についてもこれらに準じて向きを表記する。
【００１０】
図１〜図１２は本発明を適用した組立玩具に係るものであり、図１は第１形態ＦＲ１を示し、図１２は第２形態ＦＲ２を示す。第１形態ＦＲ１は、転動が可能な形態、具体的には球状の外観を有している。転動可能な形態とすることで、例えば、自動販売機で販売可能な形態となる。なお、前記の「球状」は完全な球形を意味するものではなく、自動販売機に収容された状態から転動するかたちで排出することが可能な形状であれば多少歪なものや表面凹凸がある形状であっても構わない。また、転動が可能な形態としては、球状の他に、円筒状を例示することができる。一方、第２形態ＦＲ２は、後記土台部品１２による自立が可能な形態、具体的には無生物または生物を摸した外観を有する形象物を構成する。なお、前記の「生物」は人や人以外の動物等を意味し、「無生物」は生物に属さないキャラクターや乗り物や建物や食べ物等を意味する。ちなみに、図１２に示した第２形態ＦＲ２は、キャラクター（ロボット）を摸した外観を有している。このように、例えば、球状の形態から形象物の形態へ変形可能とすることで、組立玩具の興趣性を向上させることが可能である。形態変化における興趣性の向上という観点では、第１形態ＦＲ１は、球状のような転動可能な形態以外にも、直方体等の他の幾何学的な立体形状とすることでも同様の効果が得られる。
【００１１】
図１に示した第１形態ＦＲ１は、複数個の外郭構成部品から成る外郭体（符号省略）の内部空洞ＦＲ１ａに外郭を構成しない非外郭構成部品が収容された形態である。第１形態ＦＲ１における組立玩具は、内部空洞ＦＲ１ａを非外郭構成部品の収容空間とする収容部を備え、各外殻構成部品が収容部の少なくとも一部を構成しているともいえる。また、第１形態ＦＲ１において、各外殻構成部品は、第１形態ＦＲ１の外周の少なくとも一部を構成する部品であるともいえる。一方、図１２に示した第２形態ＦＲ２は、複数個の外郭構成部品のうちの１個が後記土台部品１２として用いられ、当該土台部品１２に他の外郭構成部品と前記非外郭構成部品が取り付けられた形態である。
【００１２】
まず、図１〜図９を引用して、外郭構成部品と非外郭構成部品について説明する。
【００１３】
外郭構成部品は、椀状の第１形象部品１１（第２部品）と、環状の土台部品１２（第５部品）と、環状の第２形象部品１３（第７部品）と、椀状の補助部品１４（第８部品）と、扇状の２個の第３形象部品１５（第６部品）と、扇状の２個の第４形象部品１６（第１部品）とを含んでいる（図１〜図８を参照）。一方、非外郭構成部品は、柱状の第５形象部品１７（第３部品）と、柱状の２個の第６形象部品１８（第４部品）とを含んでいる（図１、図２および図９を参照）。なお、前記の「椀状」と「環状」と「扇状」と「柱状」は各部品の形を幾何学的に区別するために使用した広義なものであり、「椀」と「環」と「扇」と「柱」の語によって狭義に解されるべきものではない。
【００１４】
また、外郭構成部品である部品１１〜１６と、非外郭構成部品である部品１７および１８は、部品相互を着脱可能に連結するための手段、具体的には着脱を可能とするための連結部としての凹部と凸部を適宜有しており、凸部が凹部に嵌め込み可能に構成されている。なお、前記の「凹部」には非貫通穴や溝や貫通孔等が含まれ、「凹部」および「凸部」の形は着脱が可能であれば図示例の形に限定されるものではない。
【００１５】
外郭構成部品である部品１１〜１６について順に補足すると、図２および図３に示したように、第１形象部品１１（第２部品）の左右面には、扇状の開放部１１ａが左右対称に１個ずつ設けられている。また、第１形象部品１１の上面の左右位置には、扇状の窪み部１１ｂが左右対称に１個ずつ設けられており、各窪み部１１ｂの底面には、連結部としての凹部１１ｃが２個ずつ設けられている。窪み部１１ｂは、第１形象部品１１に第４形象部品１６を取り付ける際に、所定の位置に案内が可能な位置決め部として機能する。さらに、第１形象部品１１の上面の前寄り位置には、連結部としての凹部１１ｄが１個設けられている。さらに、第１形象部品１１の上面の左右位置には、連結部としての凹部１１ｅが左右対称に１個ずつ設けられている。凹部１１ｃ、１１ｄ、１１ｅは、他の部品を取り付けるための取付部ともいえる。さらに、第１形象部品１１の下面（開放部１１ａを除く）の前後位置には、連結部としての凸部１１ｆが前後対称に１個ずつ設けられている。さらに、第１形象部品１１の各開放部１１ａの上面には、連結部としての凹部１１ｇが左右対称に２個ずつ設けられている。
【００１６】
図２および図４に示したように、土台部品１２（第５部品）の上面の前後位置には、連結部としての凹部１２ａが前後対称に１個ずつ設けられている。当該凹部１２ａは、第１形象部品１１の下面の凸部１１ｆへの着脱を可能としている。また、土台部品１２の上面の左右位置には、連結部としての凸部１２ｂが左右対称に１個ずつ設けられている。さらに、土台部品１２の下面の左右位置には、連結部としての凹部１２ｃが左右対称に１個ずつ設けられている。
【００１７】
図２および図５に示したように、第２形象部品１３（第７部品）の上面の左右位置には、連結部として凸部１３ａが左右対称に１個ずつ設けられている。当該凸部１３ａは、土台部品１２の下面の凹部１２ｃへの着脱を可能としている。また、第２部品１３の下面の中央位置には、連結部としての円孔１３ｂが設けられている。さらに、第２形象部品１３の左右面には、連結部としての凹部１３ｃが前後対称に２個ずつ設けられている。
【００１８】
図２および図６に示したように、補助部品１４の上面の中央には、連結部としての円柱部１４ａが設けられている。当該円柱部１４ａは、第２形象部品１４の下面の円孔１３ｂへの着脱を可能としている。ちなみに、補助部品１４は、第２形態ＦＲ２には使用されない部品であるため、形象部品ではなく補助部品の名称を用いている。また、補助部品１４は、第２形態ＦＲ２では仕様されないことが認識可能な態様してしておくことが好ましい。たとえば、第２形態ＦＲ２に使用する部品とは異なる色とする、第２形態ＦＲ２使用する部品とは異なる素材とする、または、使用しないことがわかる表示を施すことが例として挙げられる。
【００１９】
図２および図７に示したように、各第３形象部品１５（第６部品）は、第１形象部品１１の各開放部１１ａが形成された位置への連結が可能であり、連結状態で各開放部１１ａを閉塞することができる。また、各第３形象部品１５の上面の前後位置には、連結部としての凸部１５ａが前後対称に１個ずつ設けられている。当該凸部１５ａは、第１形象部品１１の各開放部１１ａの上面の凹部１１ｇへの着脱を可能としている。さらに、各第３形象部品１３の上面には、上面から内側に張り出した扇状の鍔部１５ｂが一体形成されていて、各鍔部１５ｂの上面の前後位置には、連結部としての凸部１５ｃが前後対称に１個ずつ設けられている。さらに、各第３形象部品１５の下面の中央位置には、連結部としての凹部１５ｄが１個ずつ設けられている。当該凹部１５ｄは、土台部品１２の上面の凸部１２ｂへの着脱を可能としている。
【００２０】
図２および図８に示したように、各第４形象部品１６（第１部品）は、第１形象部品１１の各窪み部１１ｂが形成された位置への連結が可能であり、連結状態で各窪み部１１ｂを閉塞することができる。したがって、第１形象部品１１の各窪み部１１ｂの底面内に形成され、他の部品を取り付け可能な取付部である第１形象部品１１の凹部１１ｃは、各第４形象部品１６で覆われることになる。また、各第４形象部品１６の下面の前後位置には、連結部としての凸部１６ａが前後対称に１個ずつ設けられている。当該凸部１６ａは、第１形象部品１１の各窪み部１１ｂの底面の凹部１１ｃへの取り付けを可能としているとともに、第２形象部品１３の左右面の凹部１３ｃへの取り付けを可能としている。
【００２１】
一方、非外郭構成部品である部品１７（第３部品）および部品１８（第４部品）について順に補足すると、図２および図９に示したように、第５形象部品１７の左右面には、連結部としての凸部１７ａが左右対称に１個ずつ設けられている。また、第５形象部品１７の上面の左右位置には、連結部としての凹部１７ｂが、左右対称に２個ずつ設けられている。当該凹部１７ｂは、各第３形象部品１３の上面の凸部１５ｃへの着脱を可能としている。さらに、第５形象部品１７の下面の左右位置には、連結部としての凸部１７ｃが左右対称に２個ずつ設けられている。当該凸部１７ｃは、第１形象部品１１の各窪み部１１ｂの底面の凹部１１ｃへの着脱を可能としている。さらに、第５形象部品１７の下面の前寄り位置には、連結部としての凸部１７ｄが１個設けられている。当該凸部１７ｄは、第１形象部品１１の上面の凹部１１ｄへの着脱を可能としている。
【００２２】
図２に示したように、各第６形象部品１８の端面には、連結部としての凹部１８ａが１個設けられている。当該凹部１８ａは、第５形象部品１７の左右面の凸部１７ａへのせを可能としている。
【００２３】
次に、図１に示した第１形態ＦＲ１、特に外郭構成部品である部品１１〜１６の連結（取り付け）態様について説明する。
【００２４】
第１形態ＦＲ１にあっては、図１に示したように、第１形象部品１１に土台部品１２が着脱可能に連結され、土台部品１２に第２形象部品１３が着脱可能に連結され、第２形象部品１３に補助部品１４が連結されている。当該連結は、第１形象部品１１の下面の凸部１１ｆに土台部品１２の上面の凹部１２ａを嵌め合わせ（図３および図４を参照）、土台部品１２の下面の凹部１２ｃに第２形象部品１３の上面の凸部１３ａを嵌め合わせ（図４および図５を参照）、第２形象部品１３の下面の円孔１３ｂに補助部品１４の上面の円柱部１４ａを嵌め合わせる（図５および図６を参照）ことによって為されている。
【００２５】
また、第１形態ＦＲ１にあっては、図１に示したように、第１形象部品１１の各開放部１１ａが形成された位置に第３形象部品１５がそれぞれ連結され、第１形象部品１１の各窪み部１１ｂが形成された位置に第４形象部品１６がそれぞれ連結されている。各第３形象部品１５の連結は、第１形象部品１１の各開放部１１ａの上面の凹部１１ｇに各第３形象部品１５の上面の凸部１５ａを嵌め合わせる（図３および図７を参照）とともに、土台部品１２の上面の凸部１２ｂに各第３形象部品１５の下面の凹部１５ｄを嵌め合わせる（図４および図７を参照）ことによって為されている。図１から分かるように、各第３形象部品１５の連結によって第１形象部品１１の各開放部１１ａは閉塞されている。各第４形象部品１６の連結は、第１形象部品１１の各窪み部１１ｂの底面の凹部１１ｃに各第４形象部品１６の下面の凸部１６ａを嵌め合わせる（図３および図８を参照）ことによって為されている。図１から分かるように、各第４形象部品１６の連結によって第１形象部品１１の各窪み部１１ｂは閉塞されている。また、第１形象部品１１の各窪み部１１ｂの底面内に形成され、他の部品を取り付け可能な取付部である第１形象部品１１の凹部１１ｃが、各第４形象部品１６で覆われる。
【００２６】
すなわち、図１に示した第１形態ＦＲ１にあっては、外郭構成部品である部品１１〜１６によって外郭体（符号省略）が構成されている。当該外郭体（符号省略）は図１（Ｄ）に示した内部空洞ＦＲ１ａを有しており、非外郭構成部品である部品１７および１８は当該内部空洞ＦＲ１ａに収容されている。
【００２７】
次に、図１、図２、図１０および図１１を引用して、図１に示した第１形態ＦＲ１から図１２に示した第２形態ＦＲ２に変化させる方法例について説明する。なお、ここで説明する方法例は好適な一例であって、第１形態ＦＲ１から第２形態ＦＲ２に変化させる方法を制限するものではない。
【００２８】
最初に、図１に示した第１形態ＦＲ１の外郭体（符号省略）を図２に示したように分解する。当該分解は、第１形態ＦＲ１から補助部品１４と第２形象部品１３と土台部品１２を取り外すとともに、第１形象部品１１から各第３形象部品１５と各第４形象部品１６を取り外すことによって簡単に行うことができる。また、外郭体（符号省略）の分解により、第１形態ＦＲ１における収容部から第５形象部品１７と各第６形象部品１８が取り出される。
【００２９】
そして、図１０（Ａ）に示したように、土台部品１２を卓上等の平坦面ＦＳに置き、土台部品１２の上面の凹部１２ａに第１形象部品１１の下面の凸部１１ｆを嵌め合わせて、土台部品１４に第１形象部品１１を連結して取り付ける。
【００３０】
そして、図１０（Ｂ）に示したように、第１形象部品１１の上面の凹部１１ｅに、上下反転させた後の第２形象部品１３の上面（図中は下面）の凸部１３ａを嵌め合わせて、第１形象部品１１に第２形象部品１３を連結して取り付ける。
【００３１】
そして、図１０（Ｃ）に示したように、第１形象部品１１の各窪み部１１ｂの底面の凹部１１ｃと第１形象部品１１の上面前寄り位置の凹部１１ｄに、第２形象部品１３の内孔（符号省略）を通じて、第５形象部品１７の下面の凸部１７ｃと凸部１７ｄをそれぞれ嵌め合わせて、第１形象部品１１に第５形象部品１７を連結して取り付ける。
【００３２】
そして、図１０（Ｃ）に示したように、第５形象部品１７の左右面の凸部１７ａそれぞれに、第６形象部品１８の凹部１８ａを嵌め合わせて、第５形象部品１７に各第６形象部品１８を連結して取り付ける。
【００３３】
そして、図１１（Ａ）に示したように、第５形象部品１７の上面の凹部１７ｂに、上下反転させた後の各第３形象部品１５の上面（図中は下面）の凸部１５ｃを嵌め合わせて、第５形象部品１７に各第３形象部品１５を連結して取り付ける。
【００３４】
そして、図１１（Ｂ）に示したように、第２形象部品１３の左右面の凹部１３ｃそれぞれに、各第４形象部品１６の下面の凸部１６ａを嵌め合わせて、第２形象部品１３に各第４形象部品１６を連結して取り付ける。
【００３５】
以上で、図１２に示した第２形態ＦＲ２が得られる。先に述べたように第２形態ＦＲ２はキャラクター（ロボット）を摸した外観を有するものであるため、第１形象部品１１は胸部に相当し、第２形象部品１３は肩部に相当し、第５形象部品１７は頭部に相当し、各第３形象部品１５は頭装飾部に相当し、各第６形象部品１８も頭装飾部に相当し、各第４形象部品１６は、肩装飾部に相当する。
【００３６】
次に、前述の組立玩具によって得られる主たる作用効果について説明する。
【００３７】
〈作用効果１〉第２形態ＦＲ２において第１形象部品１１に第５形象部品１７を取り付ける凹部１１ｃの少なくとも一部は、第１形態ＦＲ１において第４形象部品１６で覆われることにより、凹部１１ｃの少なくとも一部は、第１形態ＦＲ１において露出しない。したがって、凹部１１ｃが第１形態ＦＲ１における形状に与える影響を抑制することが可能となることにより、第１形態ＦＲ１から第２形態ＦＲ２への変化する組立玩具の興趣性を向上させることができる。特に、第１形態ＦＲ１が球状を含む幾何学的な形態の場合は、凹部等が露出することによる美観への影響が大きくなり得るため、凹部等の露出が抑制される態様とすることが好ましい。また、凹部１１ｃが第１形象部品１１を貫通した孔である場合、凹部１１ｃが大きく形成される場合、収容部に収容される非外郭構成部品が収容部から凹部１１ｃを通って外部へ落下してしまう虞れがある。しかし、凹部１１ｃを第４形象部品１６で覆うことにより、外部への落下を防止することが可能となる。
【００３８】
〈作用効果２〉第１形態ＦＲ１の外郭体（符号省略）を構成する外郭構成部品１１〜１６のうちの１個を土台部品１２として使用できるようにし、第１形態ＦＲ１から第２形態ＦＲ２に変化させるときに当該土台部品１２に他の外郭構成部品１１、１３、１５および１６と非外郭構成部品１７および１８を取り付ける方法を採用できるので、第１形態ＦＲ１から第２形態ＦＲ２への変化を安定した状態下で容易かつ的確に行うことができる。すなわち、第１形態ＦＲ１から第２形態ＦＲ２への変化の難しさが支障となって、形態変化に係る楽しさおよび面白さが半減してしまうようなことはなく、むしろ、前記の容易性および的確性によって第１形態ＦＲ１から第２形態ＦＲ２への変化に係る楽しさおよび面白さを増すことができる。
【００３９】
〈作用効果３〉第１形態ＦＲ１の外郭体（符号省略）を構成する外郭構成部品１１〜１６のうちの土台部品１２と補助部材１４を除く他の外郭構成部品１１、１３、１５および１６を第２形態ＦＲ２を部分的に形象する部品として使用できるため、外郭体（符号省略）の内部空洞ＦＲ１ａに収容される非外郭構成部品の個数を極力低減することができる。換言すれば、外郭体（符号省略）の大きさに制限がある場合でも、前記の外郭構成部品１１〜１３、１５および１６を利用して趣向に富んだ第２形態ＦＲ２を得ることができる。
【００４０】
〈作用効果４〉第２形態ＦＲ２において第５形象部品１７が連結される第１形象部品１１側の連結部（凹部１１ｃおよび１１ｄ）のうちの凹部１１ｃが、第１形態ＦＲ１において第１形象部品１１に第４形象部品１６を連結するための連結部を兼用しているため、当該兼用によって第１形象部品１１に設けれる連結部の個数を減らして製作の容易化に貢献することができる。
【００４１】
次に、前述の組立玩具の変形例について説明する。
【００４２】
〈変形例１〉前述の組立玩具では、各第３形象部品１５の上面に連結部としての凸部１５ａおよび凸部１５ｃを設けたものを示したが、凸部１５ａを排除する一方、第１形象部品１１の各開放部１１ａの上面から内側に張り出し鍔部を一体形成して、当該鍔部に、各第３形象部品１５の上面の凸部１５ｃとの嵌め合わせを可能とした凹部１１ｇ代替の凹部を設けるようにしてもよい。
【００４３】
〈変形例２〉土台部品１２と第２形態ＦＲ２を部分的に形象する第１〜第６形象部品１１、１３、１５および１６〜１８に設けた連結部としての凹部と凸部は、同様の着脱自在な連結が可能であれば、凹部を凸部に変更したり、凸部を凹部に変更してもよい。ただし、土台部品１２は卓上等の平坦面ＦＳに置かれる最下位の部品であるため、その下面には凸部がない方が好ましい。
【００４４】
〈変形例３〉土台部品１２と第２形態ＦＲ２を部分的に形象する第１〜第６形象部品１１、１３、１５および１６〜１８に設けた連結部としての凹部と凸部の個数は、同様の着脱自在可能な連結を実現することが可能であれば、適宜増減してもよい。
【００４５】
〈変形例４〉第２形態ＦＲ２を部分的に形象する部品として計６個の第１〜第６形象部品１１、１３、１５および１６〜１８を例示したが、外郭構成部品１１〜１６の個数を増加することによって、第２形態ＦＲ２を部分的に形象する部品の個数を増加することも可能である。
【００４６】
〈変形例５〉第１形象部品１１として上面の左右位置に窪み部１１ｂが左右対称に１個ずつ設けられたものを示したが、図１３に示したように、第１形象部品１１’の上面の中央位置に円状の窪み部１１ｂ’を形成してその底面に凹部１１ｃと凹部１１ｄを設けるとともに、当該窪み部１１ｂ’を円状の部品１６’で着脱可能に被覆するようにしてもよい。言い換えると、位置決め部である窪み部１１ｂ’の内側に凹部１１ｃと凹部１１ｄを設けるようにしてもよい。この場合、図８に示した第４形象部品１６が無くなってしまうが、円状の部品１６’を半円状の２部品構成として当該２部品を第４形象部品１６の代替部品として利用できるようにしてよく、あるいは、椀状の補助部品１４を２部品構成として当該２部品を第４形象部品１６の代替部品として利用できるようにしてもよい。このように、第１形態ＦＲ１において外殻構成部品である第１形象部品１１が取り付けられる面内に第２形態ＦＲ２においてその他の部品を取り付けるための凹部１１ｃ、凹部１１ｄを配置しておくことで、第１形態ＦＲ１において凹部１１ｃ、凹部１１ｄが露出しなくなり、第１形態における形状に与える影響をさらに抑制することが可能となる。
【００４７】
〈変形例６〉第１形象部品１１として上面の左右位置に窪み部１１ｂ（図３（Ａ）を参照）を設けたものと上面の中央位置に窪み部１１ｂ’（図１３（Ｂ）を参照）を設けたものを示したが、図３（Ａ）に示した窪み部１１ｂを、図１４（Ａ）に示した窪み部１１ｂ１のような環状溝（窪み部１１ｂの内周に沿う凹部１１ｃを包含する環状溝）で代用してもよい。また、図１３（Ｂ）に示した窪み部１１ｂ’を、図１４（Ｂ）に示した窪み部１１ｂ１’のような内外２重の環状溝（外側は窪み部１１ｂ’の内周に沿った環状溝、内側は凹部１１ｃを包含する環状溝）で代用してもよい。ちなみに、図１４（Ａ）に示した窪み部１１ｂ１を採用する場合には、第４形象部品１６の下面に窪み部１１ｂ１に対応した凸部１６ａ付きの環状突起を設けておいて、第１形態ＦＲ１では当該環状突起を窪み部１１ｂ１に嵌め合わせるようにするとよい。また、図１４（Ｂ）に示した窪み部１１ｂ１’を採用する場合には、円状の部品１６’の下面に窪み部１１ｂ１’に対応した内外２重の環状突起を設けておいて、第１形態ＦＲ１では当該環状突起を窪み部１１ｂ１’に嵌め合わせるようにするとよい。このように、位置決め部である窪みを窪み部１１ｂ１、窪み部１１ｂ１’のような環状溝とすることで、窪み部１１ｂのように位置決め部全体を窪みで形成した場合よりも第１形態における形状に与える影響を抑制することが可能となる。
【００４８】
さらに、図１４（Ａ）に示した窪み部１１ｂ１と図１４（Ｂ）に示した窪み部１１ｂ１’を採用する場合、第５形象部品１７の下面に、窪み部１１ｂ１および１１ｂ１’の少なくとも一部への着脱自在な嵌め合わせを可能とした環状突起または非環状突起を形成しておいて、第１形象部品１１の凹部１１ｃおよび１１ｄに第５形象部品１７の凸部１７ｃおよび凸部１７ｄを嵌め合わせるときに、第５形象部品１７の下面の環状突起または非環状突起を第１形象部品１１および１１’の窪み部１１ｂ１および１１ｂ１’に嵌め合わせるようにしてもよい。このようにすれば、第１形象部品１１に第５形象部品１７を連結したときの当該第５形象部品１７の姿勢をより安定化することができる。
【符号の説明】
【００４９】
ＦＲ１…第１形態、ＦＲ１ａ…内部空洞、ＦＲ２…第２形態、１１…第１形象部品、１１ａ…開放部、１１ｂ，１１ｂ’，１１ｂ１，１１ｂ１’…窪み部、１２…土台部品、１３…第２形象部品、１４…補助部品、１５…第３形象部品、１６…第４形象部品、１７…第５形象部品、１８…第６形象部品。
【図１】
2020054657.tif 000003
【図２】
2020054657.tif 000004
【図３】
2020054657.tif 000005
【図４】
2020054657.tif 000006
【図５】
2020054657.tif 000007
【図６】
2020054657.tif 000008
【図７】
2020054657.tif 000009
【図８】
2020054657.tif 000010
【図９】
2020054657.tif 000011
【図１０】
2020054657.tif 000012
【図１１】
2020054657.tif 000013
【図１２】
2020054657.tif 000014
【図１３】
2020054657.tif 000015
【図１４】
2020054657.tif 000016